(57)【特許請求の範囲】
【請求項１】
（補正後）インターネットに接続されたサーバと、前記インターネットを介して前記サーバとデータ伝送を行うクライアントコンピュータと、製品メーカが具備し、前記インターネットを介して前記サーバとデータ伝送を行う第２のクライアントコンピュータとを備えた検索配信システムであって、
前記サーバは、アパレルＣＡＤ用のパターンが登録されたデータベース部と、
前記クライアントコンピュータからの要求に応じて、前記登録されたパターンを前記クライアントコンピュータに表示し、所望するパターンを該クライアントコンピュータにダウンロードするとともに課金する処理部とを備え、
前記処理部は、前記クライアントコンピュータからのアパレルＣＡＤ用パターンの入力により、該パターンを前記データベース部に追加登録し、
前記データベース部には、更に、前記パターンを使用した製品の情報が登録されており、
前記処理部は、前記クライアントコンピュータを通じて、前記製品情報が閲覧され、所望する製品が選択されて、且つ、顧客の身体寸法データが入力された場合、該入力された身体寸法データに適合し、前記選択された製品に対応付けられたパターンを前記第２のクライアントコンピュータに送信すると共に課金することを特徴とするアパレルＣＡＤ用パターン検索配信システム。
【請求項２】
（補正後）前記処理部は、前記入力された顧客の身体寸法データを含む顧客情報を前記データベース部に登録することを特徴とする請求項１に記載のアパレルＣＡＤ用パターン検索配信システム。
【請求項３】
（補正後）前記クライアントコンピュータは、製品販売店に具備されていることを特徴とする請求項１又は２に記載のアパレルＣＡＤ用パターン検索配信システム。
【請求項４】
（削除）
【請求項５】
（削除）
【発明の詳細な説明】
技術分野
本発明は、アパレルＣＡＤを用いて作成された衣服等のパターンを検索、配信するシステムに関する。
背景技術
アパレル業界では、衣服等のパターンを作成する作業を効率化するべく、従来よりアパレルＣＡＤ装置が用いられている。このアパレルＣＡＤ装置は、機械、電気製品等の設計を行うための一般的なＣＡＤ装置と異なり、衣服等のパターンを作成するのに適した種々の機能を有するものである。具体的には、デジタイザ等を利用してパターンを入力する機能や、入力されたパターンを編集する機能、パターンに縫代付けを行う縫代付け機能、一つのサイズのパターンから他のサイズのパターンを生成するグレーティング機能等である。
斯かる機能を有するアパレルＣＡＤ装置は、従来、専用装置であって高価なものが多く、誰もが手軽に購入し、使用し得るものではなかった。しかしながら、最近では、低価格のアパレルＣＡＤアプリケーションソフトが開発されており、斯かるソフトをインターネット上で購入し、ユーザのパソコンにダウンロードし得るウェブサイトを提供するシステムが出現するに至っている。
しかしながら、従来のシステムは、各ユーザがアパレルＣＡＤのアプリケーションソフトをダウンロードし得るに留まるものであり、他のパタンナーが作成したパターンをウェブ上で手軽に検索したり、所望するパターンを購入したりすることはできなかった。
一方、アパレル業界は、そもそもパタンナー同士の技術交流の機会に乏しい業界であるため、他のパタンナーが作成したパターンを見る機会すらあまり多くないというのが現状である。
よって、従来のシステムは、ダウンロードしたアパレルＣＡＤソフトを使用して、各パタンナーが独自別個にパターンを作成する限りにおいては都合の良いものであるが、他のパタンナーが作成したパターンを手軽に検索、閲覧、購入し、それに種々の改良を施してより良きパターンを作成するようなことができないという問題があった。
発明の開示
本発明は、斯かる従来技術の問題点を解決するべくなされたもので、幅広いユーザーがアパレルＣＡＤ用の種々のパターンを手軽に検索、閲覧、購入し得るパターン検索配信システムを提供することを目的とする。
斯かる課題を解決するべく、本発明は、インターネットに接続されたサーバと、前記インターネットを介して前記サーバとデータ伝送を行うクライアントコンピュータとを備えた検索配信システムであって、前記サーバは、アパレルＣＡＤ用のパターンが登録されたデータベース部と、前記クライアントコンピュータからの要求に応じて、前記登録されたパターンを前記クライアントコンピュータに表示し、所望するパターンを該クライアントコンピュータにダウンロードするとともに課金する処理部とを備えることを特徴とするアパレルＣＡＤ用パターン検索配信システムを提供するものである。
斯かる発明によれば、インターネットに接続されたクライアントコンピュータを有する幅広いユーザーが、サーバのデータベース部に登録されたパターンを検索し、閲覧し、ダウンロードし得るため、ダウンロードされたパターンに種々の改良を施してより良きパターンを作成することができ、ひいてはアパレル業界全体のデザインレベルの向上を図ることができる。
好ましくは、前記処理部は、前記クライアントコンピュータからのアパレルＣＡＤ用パターンの入力により、該パターンを前記データベース部に追加登録するように構成される。
斯かる発明によれば、クライアントコンピュータからアパレルＣＡＤ用パターンをアップロードし得るため、他のクライアントコンピュータを使用する他のユーザが該アップロードされたパターンを検索、閲覧、ダウンロードすることにより、ユーザー間の情報交換が促進される。さらに、パターンをアップロードしたユーザにとっては、他のユーザーがダウンロードする際に課金されるため、本発明に係るシステムによりパターンの販売が行えることになる。
好ましくは、前記アパレルＣＡＤ用パターン検索配信システムは、製品メーカが具備し、前記インターネットを介して前記サーバとデータ伝送を行う第２のクライアントコンピュータを更に備え、前記データベース部には、更に、前記パターンを使用した製品の情報が登録されており、前記処理部は、前記クライアントコンピュータを通じて、前記製品情報が閲覧され、所望する製品が選択されて、且つ、顧客の身体寸法データが入力された場合、該入力された身体寸法データに適合し、前記選択された製品に対応付けられたパターンを前記第２のクライアントコンピュータに送信すると共に課金するように構成される。
斯かる発明によれば、データベース部には、登録されたパターンを使用した製品の情報が登録されており、これを閲覧して所望する製品を選択等することにより、製品メーカが具備する第２のクライアントコンピュータに前記パターンが送信されるため、斯かるパターンを製品メーカにおける縫製等に供することができる。換言すれば、ユーザ、特に一般顧客にとっては、登録されたパターンを検索・閲覧・ダウンロードし得るのみならず、斯かるパターンを使用した製品自体を発注購入し得るという利点を有する。また、入力された顧客の身体寸法データに適合するパターンが送信されるように構成されているため、顧客の身体にフィットする製品が作成され得るという利点も有する。なお、前記顧客の身体寸法に適合するパターンを作成するには、入力された顧客の身体寸法に適合するように、予め登録されたパターンをサーバ外で修正した後、手動でサーバにアップロードすることの他、サーバにアパレルＣＡＤのパラメトリック機能（入力された顧客の身体寸法に対応するようにパターンを変更する機能）を具備させ、予め登録されたパターンをその都度サーバ内で自動変更するように構成することも可能である。また、斯かる発明によれば、パタンナーにとっては、自ら作成したパターンを業界内の他のパタンナーに販売し得る機会が得られるに留まらず、一般顧客の製品購入を通じて、実質的にパターンの販売先を拡張したり、パターン提供の対価として製品販売額の一部を収受するといった機会が増える利点を有する。
好ましくは、前記処理部は、前記入力された顧客の身体寸法データを含む顧客情報を前記データベース部に登録するように構成される。
斯かる発明によれば、顧客の身体寸法データを含む顧客情報がデータベース部に登録されるため、初回に身体寸法データを入力しさえすれば、次回以降の購入時に入力しなくても、顧客の身体寸法に適合するパターンを作成することができ、顧客にとって利便性に優れるという利点を有する。また、身体寸法データ以外の情報（例えば、顧客の氏名・住所・電話番号・メールアドレス・生年月日、製品に対するコメント等）をも含む顧客情報を登録可能であるため、製品販売店や製品メーカにとっては、前記顧客情報を、新製品情報の通知や特定顧客優遇セール等の販促活動に利用したり、新製品開発の参考に資することができるといった利点を有する。
好ましくは、前記クライアントコンピュータは、製品販売店に具備される。
斯かる発明によれば、顧客の身体寸法データを製品販売店（小売店等）が具備するクライアントコンピュータを通じて入力し得るため、例えば、販売店に勤務する専門家によって採寸された正確なデータをパターン作成に反映することができ、顧客にとっては、間違い無く身体にフィットする製品を購入することができるという利点を有する。また、クライアントコンピュータを具備する製品販売店側にとっても、顧客が実際に来店することにより、本発明に係るシステムに登録された製品のみならず、店舗に並ぶ他の製品についても販売し得ることを期待できると共に、本システムを利用できること自体が、他の製品販売店と異なる特徴としてアピールできる利点を有する。
【図面の簡単な説明】
図１は、本発明の第１の実施形態に係るアパレルＣＡＤ用パターン検索配信システムを表す概略構成図である。
図２は、図１に示すサーバのウェブサイトのコンテンツ例を示すフロー図である。
図３は、図２に示すトップページのコンテンツの一例を示す。
図４は、パターンダウンロード画面の表示例を示す。
図５は、検索画面の表示例を示す。
図６は、検索結果画面の表示例を示す。
図７は、デザイン画ビュー画面の表示例を示す。
図８は、ダウンロード画面の表示例を示す。
図９は、ＩＤパスワード入力画面の表示例を示す。
図１０は、パターンアップロード画面の表示例を示す。
図１１は、アップロード画面の表示例を示す。
図１２は、アップロードファイル画面の表示例を示す。
図１３は、パターンプロッタ出力画面の表示例を示す。
図１４は、本発明の第２の実施形態に係るアパレルＣＡＤ用パターン検索配信システムを表す概略構成図である。
図１５は、製品検索画面の表示例を示す。
図１６は、製品情報一覧の表示画面例を示す。
図１７は、顧客情報入力画面の表示例を示す。
図１８は、テキスタイルカラー選択画面の表示例を示す。
図１９は、製品サイズ決定用画面の表示例を示す。
図２０は、発注内容確認画面の表示例を示す。
発明を実施するための最良の形態
以下、添付図面を参照しつつ、本発明の一実施形態について説明する。
図１は、本発明の第１の実施形態に係るアパレルＣＡＤ用パターン検索配信システムを表す概略構成図である。図１に示すように、検索配信システム１は、インターネット５に接続されたサーバ２と、インターネット５を介してサーバ２とデータ転送を行うクライアントコンピュータ３とを備えている。
サーバ２は、所定のアパレルＣＡＤ用の衣服等のパターンが登録されたデータベース部２１と、クライアントコンピュータ３からの要求に応じて、登録されたパターンを表示し、所望するパターンをダウンロードさせるとともに課金する処理部２２とを備えている。
斯かる構成を有する検索配信システム１において、ユーザーは、クライアントコンピュータ３に表示された登録パターンの内、所望するパターンをダウンロードした後、コンピュータ３にインストールされたアパレルＣＡＤアプリケーションソフトで前記パターンを読み取り、縫代付けやグレーティング等の編集を行う等して、衣服等の作成に供することが可能である。
また、クライアントコンピュータ３内にアパレルＣＡＤアプリケーションがインストールされていない場合には、所望するパターンをダウンロードした後、アプリケーションがインストールされた別のコンピュータで編集することも可能である。また、自らプロッタを有しないユーザーは、サーバ２に接続されたプロッタ４を利用することにより、パターンのプリントアウトができるように構成されている。
以下、サーバ２上のウェブサイトのコンテンツの一例について詳細に説明する。
図２は、サーバ２のウェブサイトのコンテンツ例を示すフロー図である。図２に示すように、ユーザーがクライアントコンピュータ３を通じてサーバ２にアクセスすれば、まずトップページ２０１が表示される。
図３は、トップページ２０１のコンテンツの一例を示す。図３に示すように、トップページは、上段と下段とに分けて表示される。上段は、後述の手続きを経て登録された登録ユーザー向けのパターン配信コンテンツであり、下段は、未登録ユーザー向けのアパレルＣＡＤ解説コンテンツから構成されている。ユーザー登録は、通常アパレルＣＡＤアプリケーションソフト購入の際に予め登録を行い、サーバ２にログインし得るＩＤを発行することによりなされる。また、アプリケーションを購入していないユーザーは、ウェブ上での登録が可能である。なお、ユーザー登録の際には、課金に必要な情報を入力するようになっており、後述するパターンデータのダウンロードの際に課金システムが動作するように構成されている。
次に、図２のトップページ２０１においてパターンダウンロード２０２を選択する場合について説明する。パターンを検索しダウンロードする場合には、図３に示すトップページ画面において、「パターンダウンロード」ボタン２０２をクリックすればよい。これにより、図４に示すパターンダウンロード画面が表示される。
図４に示すように、パターンダウンロード画面には、ダウンロードの説明と、金額の説明と、決済方法等の手順が記載されている。或いは、これら各項目のタイトルをボタンで表示し、対応するボタンをクリックすることによりその内容が記載されているページへジャンプするようにしてもよい。ユーザーが上記説明を読んで理解した後、「検索」ボタン２０３をクリックすれば、検索画面に進むことができる。
図５は、検索画面の表示例を示す。図５に示すように、検索画面では、パターン検索に必要な項目を適宜入力して検索を行うことができる。複数の項目で検索する場合には、画面上の「ＡＮＤ」ボタン２０３ａ、又は「ＯＲ」ボタン２０３ｂをクリックすればよい。各項目はプルダウンで選択できるように構成されており、その内容は図１のデータベース部２１に登録されたパターンの情報を参照して作成されている。具体的には、項目「アイテム」にブラウス、パンツ、ジャケット等の洋服の名称が、項目「カテゴリー」に婦人服、子供服、カジュアル等の分類名が、項目「ターゲット」に年齢、ヤング、ミセス等の製品のターゲット層名が、項目「作成者」に製品の作成者名（ハンドルネームでもよい）が、項目「近似ブランド」に製品に近いブランド名が、それぞれ記載されている。項目「キーワード」には、検索用の任意のキーワードをユーザーが入力可能である。また、「デザイン画一覧（Ａ）」ボタン２０４をクリックすれば、登録されたパターンのデザイン画（ハンガーイラスト等）が一覧表示される。この一覧表示されたデザイン画をクリックすることによってもパターンの選択が可能である。
図５に示す検索画面で検索条件を設定し、「検索」ボタン２０３ｃをクリックすれば、検索条件に適合するパターンの見出しが、図６に示す検索結果画面に表示される。図６の検索結果画面において、検索結果の中から所望するパターンのパターンＮｏ．をマウスでクリックして指定した後、「デザイン画ビュー」ボタン２０５又は「パターンビュー」ボタン２０６をクリックすれば、そのパターンのデザイン画又はパターンが全画面表示される。また、パターンＮｏ．の欄にある「イメージ」ボタン２０７を押すと、製品のイメージフォト（人が着た状態を撮った写真等）が全画面表示される。なお、「イメージ」ボタン２０７は、後述するアップロード等の際にイメージフォトを登録しているファイルについてのみクリックできるように構成されている）。さらに、「デザイン画一覧（Ｂ）」ボタン２０８を押せば、検索結果として出力されたパターンのデザイン画が一覧表示される。
図７に、図６の「デザイン画ビュー」ボタン２０５をクリックした場合に表示されるデザイン画ビュー画面を示す。図７に示すように、デザイン画ビュー画面には「サイズ表」ボタン２０９があり、これをクリックすれば、パターン作成時に仕様入力した仕上がり寸法表が表示される。なお、図６の「パターンビュー」ボタン２０６又は図７の「パターンビュー」ボタン２０６ａをクリックした場合にも、図７と同様に、選択したパターンが全画面表示される。また、ズーム機能とスクロール機能を備え、パターンを部分的に拡大して見ることも可能である。
以上の操作により、パターンビューやデザイン画ビューを表示してダウンロードしたいパターンが決まったら、図６の「ダウンロード」ボタン２１０ａ又は図７の「ダウンロード」ボタン２１０ｂを押す。これにより、図８に示すダウンロード画面が表示される。
図８に示すように、ダウンロード画面には、選択したパターンの内「ダウンロード」ボタン２１０ａ又は２１０ｂを押したパターンＮｏ．、金額及び合計金額が表示される。表示された内容のままダウンロードを開始する場合には、「ダウンロード開始」ボタン２１０ｃをクリックする。また、表示されたもの以外のパターンを含む複数のパターンをダウンロードする場合には、「追加」ボタン２１０ｄをクリックすることにより、図６に示す検索結果画面に戻り、再度パターンＮｏ．の指定等の操作を行った後、「ダウンロード開始」ボタン２１０ｃをクリックすればよい。
図８の「ダウンロード開始」ボタン２１０ｃをクリックすることにより、図９に示すＩＤパスワード入力画面が表示される。図９に示す画面においてユーザーが入力したＩＤナンバーとパスワードは、登録されているＩＤナンバー及びパスワードと照合される。正しければ、ダウンロードが開始され、間違っていれば、エラーメッセージが表示され、再入力を促す。
以上に説明した操作により、パターンの検索及びダウンロードがなされるとともに、所定金額の料金が課金される。
次に、図２に示すトップページ２０１においてパターンアップロード２１１を選択する場合について説明する。ユーザーが作成したパターンをアップロードする場合には、図３に示すトップページ画面において、「パターンアップロード」ボタン２１１を指定すればよい。これにより、図１０に示すパターンアップロード画面が表示される。
図１０に示すように、パターンアップロード画面には、図４のパターンダウンロード画面と同様に、アップロードの説明、金額の説明及び決済方法等が記載されている。ユーザーが上記説明を読んで理解した後、「アップロード」ボタン２１１ａを押せば、図９に示す画面と同様のＩＤパスワード入力画面が表示される。ユーザーが入力したＩＤナンバーとパスワードとが照合された後、正しければ、図１１に示すアップロード画面が表示される。
図１１に示すように、アップロード画面では、アップロードに際し必要な項目を入力する。具体的には、項目「アイテム」に洋服の名称を、項目「カテゴリー」に分類名を、項目「ターゲット」に製品のターゲット層を、それぞれ入力する。上記いずれの項目もプルダウン選択可能とされている。また、項目「作成者」に製品の作成者名（ハンドルネームも可）を、項目「近似ブランド」に製品に近いブランド名を、項目「キーワード」に検索時に利用する単語を、それぞれ入力する。なお、項目「キーワード」には、できるだけ多くの単語を入力する旨を表記してもよい。さらに、項目「見出し」には製品の紹介文を入力する。以上の項目を入力した後、「アップロードファイル選択」ボタン２１２を押せば、図１２に示すアップロードファイル選択画面が表示される。
図１２に示すように、アップロードファイル選択画面には、クライアントコンピュータ３の所定のフォルダ内に所定の形式で保存されているアップロード用ファイルが表示される。表示を見て間違いがなければ、「アップロード開始」ボタン２１２ａをクリックすることによりアップロードを開始する。アップロードされた図面は、図１のサーバ２側で検図した後、データベース部２１に登録される。仮にアップロードした図面や入力項目に不備があれが、メールによってその旨をユーザーに連絡し、再アップロード又は必要な情報の提供を促す。
以上に説明した操作により、パターンのアップロードがなされる。
次に、図２に示すトップページ２０１においてパターンプロッタ出力２１３を選択する場合について説明する。ユーザーが検索したパターン等を図１のプロッタ４で出力することを所望する場合には、図３に示すトップページ画面において、「パターンプロッタ出力」ボタン２１３をクリックすればよい。これにより、図１３に示すパターンプロッタ出力画面が表示される。
図１３に示すように、パターンプロッタ出力画面には、図４のパターンダウンロード画面と同様に、プロッタ出力サービスの説明、金額の説明及び決済方法等が記載されている。ユーザーが上記説明を読んで理解した後、「プロッタ出力」ボタン２１３ａを押せば、図９に示した画面と同様のＩＤパスワード入力画面が表示される。ユーザーが入力したＩＤナンバーとパスワードとが照合された後、正しければ、所定の形式でのメール送信を促す。メールフォームは、会社名、所属部署名、担当者名、納期、縫代線のカットの有無、配送形態、配送手段、送付先住所及び電話番号等の項目からなり、ユーザーはこれら各項目に所定の事項を入力すると共に、プロッタ出力を所望するファイルを添付してメール送信する。サーバ２は、このメールを受信した後、確認メールをクライアントコンピュータ２に送信する。問題なければ、所定のプロッタ出力がなされるように構成されている。
その他、サーバ２上のウェブサイトには、ＦＡＱ検索機能が設けられており、図３に示すトップページ画面において、「ＦＡＱ」ボタン２１４をクリックすることにより、質問事項に対する回答が表示される。質問事項として、よくありそうな事項を予め登録しておくことに加え、ユーザーからの質問により内容を増やしていくように構成されている。また、一覧表示することの他、カテゴリーとキーワードでも検索できるように構成されている。
なお、以上に説明したサーバ２のウェブサイトコンテンツは、あくまでも一例であって、サーバが、データベース部に登録されたアパレルＣＡＤ用のパターンを、クライアントコンピュータからの要求に応じて表示し、所望するパターンを該クライアントコンピュータにダウンロードするとともに課金する機能を有する限りにおいて、種々の形態をとることが可能である。
次に、本発明の第２の実施形態に係るアパレルＣＡＤ用パターン検索配信システムについて説明する。
図１４は、本発明の第２の実施形態に係るアパレルＣＡＤ用パターン検索配信システムを表す概略構成図である。図１４に示すように、第２の実施形態に係る検索配信システム１０も、第１の実施形態と同様に、インターネット５０に接続されたサーバ２０と、インターネット５０を介してサーバ２０とデータ転送を行うクライアントコンピュータ３１、３２とを備えている。但し、本実施形態では、クライアントコンピュータ３１は衣服等の製品メーカ（縫製工場）に設置されており、クライアントコンピュータ３２は製品販売店（小売店）に設置されている。
サーバ２は、第１の実施形態と同様に、所定のアパレルＣＡＤ用の衣服等のパターンが登録されたデータベース部２１と、クライアントコンピュータ３１、３２からの要求に応じて、登録されたパターンを表示し、所望するパターンをダウンロードさせるとともに課金する処理部２２とを備えている。
また、ユーザーは、クライアントコンピュータ３１、３２に表示された登録パターンの内、所望するパターンをダウンロードした後、コンピュータ３１、３２にインストールされたアパレルＣＡＤアプリケーションソフトで前記パターンを読み取り、縫代付けやグレーティング等の編集を行う等して、衣服等の作成に供することが可能である点も第１の実施形態と同様である。
さらに、第１の実施形態と同様に、クライアントコンピュータ３１、３２内にアパレルＣＡＤアプリケーションがインストールされていない場合には、所望するパターンをダウンロードした後、アプリケーションがインストールされた別のコンピュータで編集することも可能である。また、自らプロッタを有しないユーザーは、サーバ２０に接続されたプロッタ４０を利用することにより、パターンのプリントアウトができるように構成されている。
本実施形態のデータベース部２１には、前述したパターンに加え、当該パターンを使用した製品の情報（製品名、製品画、ブランド、販売価格等）が登録されている。処理部２２は、斯かる製品情報を小売店のクライアントコンピュータ３２に表示する。クライアントコンピュータ３２に表示された製品情報が閲覧され、所望する製品が選択された後、顧客情報（顧客の身体寸法データ・氏名・住所・電話番号・メールアドレス・生年月日、製品に対するコメント等）が入力された場合、処理部２２は、前記選択された製品に対応付けられたパターンを縫製工場のクライアントコンピュータ３１に送信すると共に課金するように構成されている。ここで、前記入力された顧客の身体寸法データに適合するパターンが登録されていない場合、処理部２２は、予め登録された所定のパターンに基づき、アパレルＣＡＤのパラメトリック機能等を使用して身体寸法データに適合するように変更した後、クライアントコンピュータ３１に送信する。また、処理部２２は、前記入力された顧客情報をデータベース部２１に登録する。これにより、初回に顧客情報を入力しさえすれば、次回以降の購入時には、所定の顧客番号等を入力するのみで、登録された顧客情報が参照され、当該顧客用のパターン作成等に供される。
クライアントコンピュータ３１が設置された縫製工場では、前記送信されたパターンに基づき縫製及び検品を行った後、発注のあった小売店、つまりクライアントコンピュータ３２が設置された小売店に製品を発送する。発送された製品は、前記小売店において顧客に受け渡される。
以下、本実施形態に係るサーバ２０が提供する製品購入に関するウェブサイト（以下、「バーチャルショップ」と称する）のコンテンツの一例について説明する。
サーバ２０が提供するバーチャルショップにおいては、まず、データベース部２１に登録された製品を検索するための検索画面が表示される。図１５は、斯かる検索画面の表示例を示す。図１５に示すように、本検索画面において、商品番号、アイテム、カテゴリー、素材、ブランド、価格帯等の検索条件を入力し、「検索」ボタン２２０をクリックすることにより、検索条件に適合する製品情報一覧が表示される。
図１６は、検索結果として表示される製品情報一覧の表示画面例を示す。図１６に示すように、本画面には、検索条件に適合する製品についての、商品番号、製品画、価格、製品の特徴等が一覧表示されており、これを閲覧した後、クライアントコンピュータ３２を通じて所望する製品を選択すればよい。図１６に示す例では、商品番号（Ｓａｍｐｌｅ  Ｎｏ．）２２１又は製品画２２２をクリックすることにより、対応する製品の発注手続きが進行するように構成されている。
図１６に示す一覧表示画面で所望する製品を選択すれば、顧客情報入力画面が表示される。図１７は、斯かる顧客情報入力画面の表示例を示す。図１７に示すように、本画面において、予め所定の登録手続きを経て付与された小売店番号（ショップＮｏ．）及び顧客番号（お客様Ｎｏ．）、顧客の氏名・住所・電話番号・メールアドレス等を入力し、「送信」ボタン２２３をクリックすることにより、データベース部２１に登録される。登録された顧客情報は、前述した課金の際に参照される他、新製品情報の通知や特定顧客優遇セール等の販促活動に利用されたり、新製品開発の参考とされ得る。
また、図１７の「送信」ボタン２２３をクリックすることにより、選択した製品についてのテキスタイルカラー選択画面が表示される。図１８は、斯かるテキスタイルカラー選択画面の表示例を示す。図１８に示すように、本画面には、選択した製品の製品画の他、当該製品に適用できるテキスタイルカラーの画像２２４及びその番号２２５が一覧表示される。顧客又は小売店の店員等は、これを閲覧した後、クライアントコンピュータ３２を通じて所望するテキスタイルカラーを選択すればよい。図１８に示す例では、テキスタイルカラーの画像２２４又は画像番号２２５をクリックすることにより、適用するテキスタイルカラーが決定するように構成されている。
以上のようにしてテキスタイルカラーを決定した後、製品サイズ決定用画面で所望する製品サイズを決定する。図１９は、斯かる製品サイズ決定用画面の表示例を示す。図１９に示すように、本画面には、選択した製品に対して予め用意されているサイズ一覧を示すオリジナルサイズ表示欄２２６と、各顧客の身体寸法に応じてサイズの修正を行なうための修正サイズ入力欄２２７とが表示される。オリジナルサイズ表示欄２２６には、所定のサイズ（図１９に示す例では、９号、１１号及び１３号）毎に、着丈、肩幅、バスト、ウェスト、袖丈及び裄丈についての寸法が予め表示されている。顧客又は小売店の店員等は、斯かる表示を閲覧し、特に修正する必要がなければ、所望するサイズをクリックし、「送信」ボタン２２８をクリックすればよい。一方、オリジナルサイズ表示欄２２６に表示された各寸法が顧客の身体寸法に適合しない場合には、修正サイズ入力欄２２７において、まず最も近いサイズ（図１９の例では１３号）を選択した後、着丈、肩幅等の各寸法の内、修正すべき寸法を入力すればよい。このようにして寸法を修正した後、同様にして「送信」ボタン２２８をクリックすることにより、製品の発注内容が決定される。なお、以上のようにして入力された製品サイズは、顧客身体寸法データを意味するものとして、前述した顧客の住所・氏名等の顧客情報と紐付けられた後、顧客情報として一括してデータベース部２２に登録される。
図１９の「送信」ボタン２２８をクリックすることにより、図２０に示す発注内容確認画面が表示される。図２０に示すように、本画面には、発注すべき製品の製品画、テキスタイルカラー、サイズ、価格等が表示され、内容に間違いが無ければ、「送信」ボタン２２９をクリックすることにより、発注手続が完了する。
なお、以上に説明したサーバ２０が提供するバーチャルショップのコンテンツは、あくまでも一例であって、データベース部に、登録されたパターンを使用した製品の情報が更に登録されており、所望する製品が選択されて、且つ、顧客の身体寸法データが入力された場合、該入力された身体寸法データに適合し、前記選択された製品に対応付けられたパターンを製品メーカが具備するクライアントコンピュータに送信すると共に課金する機能を有する限りにおいて、種々の形態をとることが可能である。
以上のように、本発明に係るアパレルＣＡＤ用パターン検索配信システムによれば、インターネットに接続されたサーバと、前記インターネットを介して前記サーバとデータ伝送を行うクライアントコンピュータとを備えた検索配信システムであって、前記サーバは、アパレルＣＡＤ用のパターンが登録されたデータベース部と、前記クライアントコンピュータからの要求に応じて、前記登録されたパターンを前記クライアントコンピュータに表示し、所望するパターンを該クライアントコンピュータにダウンロードするとともに課金する処理部とを備えるため、インターネットに接続されたクライアントコンピュータを有する幅広いユーザーが、サーバのデータベース部に登録されたパターンを検索し、閲覧し、ダウンロードし得るため、ダウンロードされたパターンに種々の改良を施してより良きパターンを作成することができ、ひいてはアパレル業界全体のデザインレベルの向上を図ることができるという効果を奏するものである。
また、特に前記処理部を、前記クライアントコンピュータからのアパレルＣＡＤ用パターンの入力により、該パターンを前記データベース部に追加登録するように構成した場合には、クライアントコンピュータからアパレルＣＡＤ用パターンをアップロードし得るため、他のクライアントコンピュータを使用する他のユーザが該アップロードされたパターンを検索、閲覧、ダウンロードすることにより、ユーザー間の情報交換が促進される。さらに、パターンをアップロードしたユーザにとっては、他のユーザーがダウンロードする際に課金されるため、本発明に係るシステムによりパターンの販売が行い得るという優れた効果を奏する。
また、製品メーカが具備し、前記インターネットを介して前記サーバとデータ伝送を行う第２のクライアントコンピュータを更に備え、前記データベース部には、更に、前記パターンを使用した製品の情報が登録されており、前記処理部は、前記クライアントコンピュータを通じて、前記製品情報が閲覧され、所望する製品が選択されて、且つ、顧客の身体寸法データが入力された場合、該入力された身体寸法データに適合し、前記選択された製品に対応付けられたパターンを前記第２のクライアントコンピュータに送信すると共に課金するように構成した場合には、ユーザ、特に一般顧客にとっては、登録されたパターンを検索・閲覧・ダウンロードし得るのみならず、斯かるパターンを使用した製品自体を発注購入し得るという利点を有する。また、顧客の身体にフィットする製品が作成され得るという利点も有する。さらに、パタンナーにとっては、自ら作成したパターンを業界内の他のパタンナーに販売し得る機会が得られるに留まらず、一般顧客の製品購入を通じて、実質的にパターンの販売先を拡張したり、パターン提供の対価として製品販売額の一部を収受するといった機会が増える利点を有する。
また、前記処理部が、前記入力された顧客の身体寸法データを含む顧客情報を前記データベース部に登録するように構成した場合には、初回に身体寸法データを入力しさえすれば、次回以降の購入時に入力しなくても、顧客の身体寸法に適合するパターンを作成することができ、顧客にとって利便性に優れるという利点を有する。また、身体寸法データ以外の情報をも含む顧客情報を登録可能であるため、製品販売店や製品メーカにとっては、前記顧客情報を、新製品情報の通知や特定顧客優遇セール等の販促活動に利用したり、新製品開発の参考に資することができるといった利点を有する。
さらに、前記クライアントコンピュータが製品販売店に具備されるようにした場合には、顧客の身体寸法データを製品販売店（小売店等）が具備するクライアントコンピュータを通じて入力し得るため、例えば、販売店に勤務する専門家によって採寸された正確なデータをパターン作成に反映することができ、顧客にとっては、間違い無く身体にフィットする製品を購入することができるという利点を有する。また、クライアントコンピュータを具備する製品販売店側にとっても、顧客が実際に来店することにより、本発明に係るシステムに登録された製品のみならず、店舗に並ぶ他の製品についても販売し得ることを期待できると共に、本システムを利用できること自体が、他の製品販売店と異なる特徴としてアピールできる利点を有する。
【図１】
0003560586.tif 000002
【図２】
0003560586.tif 000003
【図３】
0003560586.tif 000004
【図４】
0003560586.tif 000005
【図５】
0003560586.tif 000006
【図６】
0003560586.tif 000007
【図７】
0003560586.tif 000008
【図８】
0003560586.tif 000009
【図９】
0003560586.tif 000010
【図１０】
0003560586.tif 000011
【図１１】
0003560586.tif 000012
【図１２】
0003560586.tif 000013
【図１３】
0003560586.tif 000014
【図１４】
0003560586.tif 000015
【図１５】
0003560586.tif 000016
【図１６】
0003560586.tif 000017
【図１７】
0003560586.tif 000018
【図１８】
0003560586.tif 000019
【図１９】
0003560586.tif 000020
【図２０】
0003560586.tif 000021